(57)【特許請求の範囲】
【請求項１】
視聴者に対して催されるイベント群に属する各イベントにおいて出現する語句と、当該各イベントにおいて当該語句が出現した期間に関する情報と、当該各イベントが催される期間に関する情報とを含むイベントメタデータを取得する取得手段と、
前記取得手段によって取得された前記イベントメタデータに基づき、各々の前記イベントにおける各々の前記語句の出現頻度を当該イベントごとに特定する第１特定手段であって、取得された前記イベントメタデータに基づき、前記イベントにおいて前記語句が出現した期間と当該イベントが催された期間との割合を算出し、算出した当該割合に応じて、当該イベントにおける当該語句の出現頻度を特定する第１特定手段と、
前記取得手段によって取得された前記イベントメタデータに基づき、前記イベント群における前記語句の出現頻度を特定する第２特定手段と、
各々の前記イベントにおいて出現した各々の前記語句に対し、当該語句が当該イベントの主題に適合している程度に応じた評価を行う評価手段であって、前記第１特定手段によって特定された前記出現頻度が多く、且つ、前記第２特定手段によって特定された前記出現頻度が低い語句であるほど、前記語句が前記イベントにおける主題に適合している程度が高いと評価する評価手段と
を備えることを特徴とする評価装置。
【請求項２】
視聴者に対して催されるイベント群に属する各イベントにおいて出現する語句と、当該各イベントにおいて当該語句が出現した期間に関する情報と、当該各イベントが催される期間に関する情報とを含むイベントメタデータを取得する取得手段と、
前記取得手段によって取得された前記イベントメタデータに基づき、各々の前記イベントにおける各々の前記語句の出現頻度を当該イベントごとに特定する第１特定手段と、
前記取得手段によって取得された前記イベントメタデータに基づき、前記イベント群における前記語句の出現頻度を特定する第２特定手段と、
各々の前記イベントにおいて出現した各々の前記語句に対し、当該語句が当該イベントの主題に適合している程度に応じた評価を行い、各々の前記語句に対する評価結果を当該語句が出現した個別イベントごとに集計する評価手段であって、前記第１特定手段によって特定された前記出現頻度が多く、且つ、前記第２特定手段によって特定された前記出現頻度が低い語句であるほど、前記語句が前記イベントにおける主題に適合している程度が高いと評価する評価手段と
を備えることを特徴とする評価装置。
【請求項３】
前記第２特定手段は、取得された前記イベントメタデータに基づき、前記イベント群に属するイベントの数と、当該イベント群に属する各イベントにおける前記語句の出現の有無とを求め、当該数と当該出現の有無とに基づいて、前記イベント群における前記語句の出現頻度を特定する
ことを特徴とする請求項１項または２に記載の評価装置。
【請求項４】
前記第２特定手段は、前記取得手段によって取得された前記イベントメタデータに基づき、前記イベント群に属するイベントの数と前記語句が出現したイベントの数との割合を算出し、算出した当該割合に応じて前記イベント群における前記語句の出現頻度を特定する
ことを特徴とする請求項３に記載の評価装置。
【請求項５】
前記評価手段は、前記第１特定手段によって特定された出現頻度を表す数値と、前記第２特定手段によって特定された出現頻度を表す数値の逆数の自然対数とを乗算し、その乗算結果に応じて前記評価を行う
ことを特徴とする請求項１〜４のいずれか１項に記載の評価装置。
【請求項６】
視聴者に対して催されるイベント群に属する各イベントにおいて出現する語句からなる字幕と、当該各イベントにおいて当該字幕が出現した時間帯と、当該各イベントが催される期間に関する情報とを含むメタデータを取得する取得手段と、
前記取得手段によって取得されたメタデータに含まれる字幕から各語句を抽出し、各々の前記イベントにおける各々の前記語句の出現頻度を当該イベントごとに特定する第１特定手段であって、前記各語句が含まれる字幕のうち、最初に出現した字幕の時間帯の開始時刻、最後に出現した字幕の時間帯の終了時刻との差を、当該字幕から抽出した各語句が出現した期間とし、前記語句が出現した期間と前記イベントが催された期間との割合に応じて、当該イベントにおける当該語句の出現頻度を特定する第１特定手段と、
前記取得手段によって取得された前記メタデータに基づき、前記イベント群における前記語句の出現頻度を特定する第２特定手段と、
各々の前記イベントにおいて出現した各々の前記語句に対し、当該語句が当該イベントの主題に適合している程度に応じた評価を行う評価手段であって、前記第１特定手段によって特定された前記出現頻度が多く、且つ、前記第２特定手段によって特定された前記出現頻度が低い語句であるほど、前記語句が前記イベントにおける主題に適合している程度が高いと評価する評価手段と
を備えることを特徴とする評価装置。
【請求項７】
評価装置が、視聴者に対して催されるイベント群に属する各イベントにおいて出現する語句と、当該各イベントにおいて当該語句が出現した期間に関する情報と、当該各イベントが催される期間に関する情報とを含むイベントメタデータを取得する取得ステップと、
前記評価装置が、前記取得ステップにおいて取得された前記イベントメタデータに基づき、各々の前記イベントにおける各々の前記語句の出現頻度を前記イベントごとに特定する第１特定ステップであって、取得された前記イベントメタデータに基づき、前記イベントにおいて前記語句が出現した期間と当該イベントが催された期間との割合を算出し、算出した当該割合に応じて、当該イベントにおける当該語句の出現頻度を特定する第１特定ステップと、
前記評価装置が、前記取得ステップにおいて取得された前記イベントメタデータに基づき、前記イベント群における前記語句の出現頻度を特定する第２特定ステップと、
前記評価装置が、各々の前記イベントにおいて出現した各々の前記語句に対し、当該語句が当該イベントにおいて主題として取り扱われた程度に応じた評価を行う評価ステップであって、前記第１特定ステップにおいて特定された前記出現頻度が多く、且つ、前記第２特定ステップにおいて特定された前記出現頻度が低い語句であるほど、前記語句が前記イベントにおいて主題として取り扱われた程度が高いと評価する評価ステップと
を備える評価方法。
【請求項８】
評価装置が、視聴者に対して催されるイベント群に属する各イベントにおいて出現する語句と、当該各イベントにおいて当該語句が出現した期間に関する情報と、当該各イベントが催される期間に関する情報とを含むイベントメタデータを取得する取得ステップと、
前記評価装置が、前記取得ステップにおいて取得された前記イベントメタデータに基づき、各々の前記イベントにおける各々の前記語句の出現頻度を前記イベントごとに特定する第１特定ステップと、
前記評価装置が、前記取得ステップにおいて取得された前記イベントメタデータに基づき、前記イベント群における前記語句の出現頻度を特定する第２特定ステップと、
前記評価装置が、各々の前記イベントにおいて出現した各々の前記語句に対し、当該語句が当該イベントの主題に適合している程度に応じた評価を行い、各々の前記語句に対する評価結果を当該語句が出現した個別イベントごとに集計する評価ステップであって、前記第１特定ステップによって特定された前記出現頻度が多く、且つ、前記第２特定ステップによって特定された前記出現頻度が低い語句であるほど、前記語句が前記イベントにおける主題に適合している程度が高いと評価する評価ステップと
を備える評価方法。
【請求項９】
評価装置が、視聴者に対して催されるイベント群に属する各イベントにおいて出現する語句からなる字幕と、当該各イベントにおいて当該字幕が出現した時間帯と、当該各イベントが催される期間に関する情報とを含むメタデータを取得する取得ステップと、
前記評価装置が、前記取得ステップにおいて取得されたメタデータに含まれる字幕から各語句を抽出し、各々の前記イベントにおける各々の前記語句の出現頻度を当該イベントごとに特定する第１特定手段であって、前記各語句が含まれる字幕のうち、最初に出現した字幕の時間帯の開始時刻、最後に出現した字幕の時間帯の終了時刻との差を、当該字幕から抽出した各語句が出現した期間とし、前記語句が出現した期間と前記イベントが催された期間との割合に応じて、当該イベントにおける当該語句の出現頻度を特定する第１特定ステップと、
前記評価装置が、前記取得ステップにおいて取得された前記メタデータに基づき、前記イベント群における前記語句の出現頻度を特定する第２特定ステップと、
前記評価装置が、各々の前記イベントにおいて出現した各々の前記語句に対し、当該語句が当該イベントの主題に適合している程度に応じた評価を行う評価ステップであって、前記第１特定ステップにおいて特定された前記出現頻度が多く、且つ、前記第２特定ステップにおいて特定された前記出現頻度が低い語句であるほど、前記語句が前記イベントにおける主題に適合している程度が高いと評価する評価ステップと
を備える評価方法。
【発明の詳細な説明】
【技術分野】
【０００１】
本発明は、テレビジョン放送される番組などの各種イベントにおいて出現した語句がそのイベントの主題に適合している程度を評価する技術に関する。
【背景技術】
【０００２】
テレビジョン(以下、テレビという)放送の多チャンネル化やテレビ番組の録画装置の多機能化に伴い、多数のテレビ番組に中からそれぞれの視聴者にとって有用な内容のテレビ番組を選別する技術に対する要求が高まっている。例えば特許文献１には、テレビ番組において語句の出現頻度を調べることで、現在注目されている注目語句を特定し、その注目語句が出現するようなテレビ番組を検索する仕組みが開示されている。
【先行技術文献】
【特許文献】
【０００３】
【特許文献１】特開２００１−１０１１９５号公報
【発明の概要】
【発明が解決しようとする課題】
【０００４】
上記のような仕組みを利用した場合、例えばテレビ番組の進行上の理由で頻繁に出現してはいるがそのテレビ番組の主題とはあまり関係のない語句であっても、それが注目語句として抽出される可能性がある。その一例は、例えばそのテレビ番組の司会者やスポンサーの名称などであるが、このような語句は、いかに出現頻度が高いとしても、その番組の主題に関して特に重要な意味があるとは限らないから、視聴者にとっての有用性が高いとは言えない場合がある。また、同じテレビ番組で繰り返し取り扱われているがゆえに、そのテレビ番組においては既に普遍的になっている語句についても、その番組の主題に関して特に重要な意味があるとは限らないことがある。
【０００５】
そこで、本発明は、イベントにおいて出現した語句がそのイベントの主題に適合している程度をより正確に評価することを目的とする。
【課題を解決するための手段】
【０００６】
上記課題を解決するため、本発明は、視聴者に対して催されるイベント群に属する各イベントにおいて出現する語句と、当該各イベントにおいて当該語句が出現した期間に関する情報と、当該各イベントが催される期間に関する情報とを含むイベントメタデータを取得する取得手段と、前記取得手段によって取得された前記イベントメタデータに基づき、各々の前記イベントにおける各々の前記語句の出現頻度を当該イベントごとに特定する第１特定手段であって、取得された前記イベントメタデータに基づき、前記イベントにおいて前記語句が出現した期間と当該イベントが催された期間との割合を算出し、算出した当該割合に応じて、当該イベントにおける当該語句の出現頻度を特定する第１特定手段と、前記取得手段によって取得された前記イベントメタデータに基づき、前記イベント群における前記語句の出現頻度を特定する第２特定手段と、各々の前記イベントにおいて出現した各々の前記語句に対し、当該語句が当該イベントの主題に適合している程度に応じた評価を行う評価手段であって、前記第１特定手段によって特定された前記出現頻度が多く、且つ、前記第２特定手段によって特定された前記出現頻度が低い語句であるほど、前記語句が前記イベントにおける主題に適合している程度が高いと評価する評価手段とを備えることを特徴とする評価装置を提供する。
【０００７】
また、本発明は、視聴者に対して催されるイベント群に属する各イベントにおいて出現する語句と、当該各イベントにおいて当該語句が出現した期間に関する情報と、当該各イベントが催される期間に関する情報とを含むイベントメタデータを取得する取得手段と、前記取得手段によって取得された前記イベントメタデータに基づき、各々の前記イベントにおける各々の前記語句の出現頻度を当該イベントごとに特定する第１特定手段と、前記取得手段によって取得された前記イベントメタデータに基づき、前記イベント群における前記語句の出現頻度を特定する第２特定手段と、各々の前記イベントにおいて出現した各々の前記語句に対し、当該語句が当該イベントの主題に適合している程度に応じた評価を行い、各々の前記語句に対する評価結果を当該語句が出現した個別イベントごとに集計する評価手段であって、前記第１特定手段によって特定された前記出現頻度が多く、且つ、前記第２特定手段によって特定された前記出現頻度が低い語句であるほど、前記語句が前記イベントにおける主題に適合している程度が高いと評価する評価手段とを備えることを特徴とする評価装置を提供する。
【０００８】
前記第２特定手段は、取得された前記イベントメタデータに基づき、前記イベント群に属するイベントの数と、当該イベント群に属する各イベントにおける前記語句の出現の有無とを求め、当該数と当該出現の有無とに基づいて、前記イベント群における前記語句の出現頻度を特定するようにしてもよい。さらに、前記第２特定手段は、前記取得手段によって取得された前記イベントメタデータに基づき、前記イベント群に属するイベントの数と前記語句が出現したイベントの数との割合を算出し、算出した当該割合に応じて前記イベント群における前記語句の出現頻度を特定するようにしてもよい。
【０００９】
前記評価手段は、前記第１特定手段によって特定された出現頻度を表す数値と、前記第２特定手段によって特定された出現頻度を表す数値の逆数の自然対数とを乗算し、その乗算結果に応じて前記評価を行うようにしてもよい。
【００１１】
また、本発明は、視聴者に対して催されるイベント群に属する各イベントにおいて出現する語句からなる字幕と、当該各イベントにおいて当該字幕が出現した時間帯と、当該各イベントが催される期間に関する情報とを含むメタデータを取得する取得手段と、前記取得手段によって取得されたメタデータに含まれる字幕から各語句を抽出し、各々の前記イベントにおける各々の前記語句の出現頻度を当該イベントごとに特定する第１特定手段であって、前記各語句が含まれる字幕のうち、最初に出現した字幕の時間帯の開始時刻、最後に出現した字幕の時間帯の終了時刻との差を、当該字幕から抽出した各語句が出現した期間とし、前記語句が出現した期間と前記イベントが催された期間との割合に応じて、当該イベントにおける当該語句の出現頻度を特定する第１特定手段と、前記取得手段によって取得された前記メタデータに基づき、前記イベント群における前記語句の出現頻度を特定する第２特定手段と、各々の前記イベントにおいて出現した各々の前記語句に対し、当該語句が当該イベントの主題に適合している程度に応じた評価を行う評価手段であって、前記第１特定手段によって特定された前記出現頻度が多く、且つ、前記第２特定手段によって特定された前記出現頻度が低い語句であるほど、前記語句が前記イベントにおける主題に適合している程度が高いと評価する評価手段とを備えることを特徴とする評価装置を提供する。
【００１２】
また、本発明は、評価装置が、視聴者に対して催されるイベント群に属する各イベントにおいて出現する語句と、当該各イベントにおいて当該語句が出現した期間に関する情報と、当該各イベントが催される期間に関する情報とを含むイベントメタデータを取得する取得ステップと、前記評価装置が、前記取得ステップにおいて取得された前記イベントメタデータに基づき、各々の前記イベントにおける各々の前記語句の出現頻度を前記イベントごとに特定する第１特定ステップと、前記評価装置が、前記取得ステップにおいて取得された前記イベントメタデータに基づき、前記イベント群における前記語句の出現頻度を特定する第２特定ステップと、前記評価装置が、各々の前記イベントにおいて出現した各々の前記語句に対し、当該語句が当該イベントにおいて主題として取り扱われた程度に応じた評価を行う評価ステップであって、前記第１特定ステップにおいて特定された前記出現頻度が多く、且つ、前記第２特定ステップにおいて特定された前記出現頻度が低い語句であるほど、前記語句が前記イベントにおいて主題として取り扱われた程度が高いと評価する評価ステップとを備える評価方法を提供する。
【００１３】
また、本発明は、評価装置が、視聴者に対して催されるイベント群に属する各イベントにおいて出現する語句と、当該各イベントにおいて当該語句が出現した期間に関する情報と、当該各イベントが催される期間に関する情報とを含むイベントメタデータを取得する取得ステップと、前記評価装置が、前記取得ステップにおいて取得された前記イベントメタデータに基づき、各々の前記イベントにおける各々の前記語句の出現頻度を前記イベントごとに特定する第１特定ステップと、前記評価装置が、前記取得ステップにおいて取得された前記イベントメタデータに基づき、前記イベント群における前記語句の出現頻度を特定する第２特定ステップと、前記評価装置が、各々の前記イベントにおいて出現した各々の前記語句に対し、当該語句が当該イベントの主題に適合している程度に応じた評価を行い、各々の前記語句に対する評価結果を当該語句が出現した個別イベントごとに集計する評価ステップであって、前記第１特定ステップによって特定された前記出現頻度が多く、且つ、前記第２特定ステップによって特定された前記出現頻度が低い語句であるほど、前記語句が前記イベントにおける主題に適合している程度が高いと評価する評価ステップとを備える評価方法を提供する。
また、本発明は、評価装置が、視聴者に対して催されるイベント群に属する各イベントにおいて出現する語句からなる字幕と、当該各イベントにおいて当該字幕が出現した時間帯と、当該各イベントが催される期間に関する情報とを含むメタデータを取得する取得ステップと、前記評価装置が、前記取得ステップにおいて取得されたメタデータに含まれる字幕から各語句を抽出し、各々の前記イベントにおける各々の前記語句の出現頻度を当該イベントごとに特定する第１特定手段であって、前記各語句が含まれる字幕のうち、最初に出現した字幕の時間帯の開始時刻、最後に出現した字幕の時間帯の終了時刻との差を、当該字幕から抽出した各語句が出現した期間とし、前記語句が出現した期間と前記イベントが催された期間との割合に応じて、当該イベントにおける当該語句の出現頻度を特定する第１特定ステップと、前記評価装置が、前記取得ステップにおいて取得された前記メタデータに基づき、前記イベント群における前記語句の出現頻度を特定する第２特定ステップと、前記評価装置が、各々の前記イベントにおいて出現した各々の前記語句に対し、当該語句が当該イベントの主題に適合している程度に応じた評価を行う評価ステップであって、前記第１特定ステップにおいて特定された前記出現頻度が多く、且つ、前記第２特定ステップにおいて特定された前記出現頻度が低い語句であるほど、前記語句が前記イベントにおける主題に適合している程度が高いと評価する評価ステップとを備える評価方法を提供する。
【発明の効果】
【００１４】
本発明によれば、イベントにおいて出現した語句がそのイベントの主題に適合している程度をより正確に評価することができる。
【図面の簡単な説明】
【００１５】
【図１】本発明の実施形態に係る評価装置のハードウェア構成を示すブロック図である。
【図２】評価装置の機能構成を示すブロック図である。
【図３】イベントメタデータの一例を示す図である。
【図４】評価装置の制御部が実行する処理の手順を示すフローチャートである。
【図５】制御部が処理を実行しているときに記憶部に記憶される内容の一例を示す図である。
【図６】制御部が処理を実行しているときに記憶部に記憶される内容の一例を示す図である。
【図７】制御部が処理を実行しているときに記憶部に記憶される内容の一例を示す図である。
【図８】制御部が実行する処理の手順を示すフローチャートである。
【図９】制御部が処理を実行しているときに記憶部に記憶される内容の一例を示す図である。
【図１０】制御部が処理を実行しているときに記憶部に記憶される内容の一例を示す図である。
【図１１】制御部が処理を実行しているときに記憶部に記憶される内容の一例を示す図である。
【図１２】制御部が処理を実行しているときに記憶部に記憶される内容の一例を示す図である。
【図１３】イベントメタデータの他の一例を示す図である。
【図１４】制御部が実行する処理の手順を示すフローチャートである。
【図１５】制御部が実行する処理の手順を示すフローチャートである。
【図１６】制御部が処理を実行しているときに記憶部に記憶される内容の一例を示す図である。
【発明を実施するための形態】
【００１６】
［実施形態］
イベントとは、視聴者に対して催されることを目的として或る共通の条件の下で創作され、演じられまたは発表されるものであって、それぞれにおけるテーマ、話題、題目、目的或いは思想（以下、これらをまとめて主題という）が異なる複数の創作物、催し物、出し物または見せ物のことである。イベントの代表的な例としては、或る番組名が付けられて毎週乃至毎日連続して放送されるテレビ番組が挙げられる。これらの各テレビ番組は、いずれも共通の番組名の意味の下で作成されているが、それぞれの内容の主題は異なっている。イベントには、このようなテレビ番組のほかに、或る番組名が付けられて例えば毎週乃至毎日連続して放送されるラジオ番組や、また、放送波によらずインターネット上で視聴者に提供されるものなども含まれる。いずれも、娯楽や教養のために放送波や有線ネットワークなどの伝達手段によって視聴者に提供される、文字や音声、映像などを用いて創作されたものであり、これらはコンテンツと総称される場合もある。また、イベントには、或る条件に従って選ばれた楽曲が演奏される音楽フェスティバルや或る基準で選ばれた論文が発表される学会などのように、視聴者が或る場所に実際に集まり、その場所でリアルタイムに行われるようなものも含まれる。例えば、演劇、映画、音楽会、テレビ放送などの演目、曲目、番組などのことをプログラムということがあるが、イベントという用語は、このプログラムの意味を含むものである。
【００１７】
イベントにおいては必ず語句が出現する。語句は、例えばそのイベントに出演した出演者の名称やその出演者の発言内容などに含まれているものであり、イベントの内容を代表する意味を持つものと言える。ここでいうイベントの内容には、そのイベントに特有の主題に相当する内容も含まれるし、主題に相当するとは言えない内容も含まれるから、このイベントに出現した語句群の中にも、主題との適合の程度が高い語句と低い語句とがある。そこで、これらの各語句に対し、その語句が出現したイベントの主題との適合の程度に応じた評価がなされる。この適合の程度が高いと評価された語句は、例えば視聴者にとって有用な内容のイベントを選別するときに、適合の程度が低いと評価された語句よりも優先的に用いられる。これにより、視聴者が望むような主題のイベントが選別されることになる。
【００１８】
以下の説明においては、イベントとしてテレビ番組を例に挙げて説明する。そして、イベント群とは、番組名が共通する各テレビ番組の総体を意味し、個別イベントとは、これらのテレビ番組の総体に含まれる個々のテレビ番組を意味するものとする。例えば１２週間にわたって毎週連続して放送される、「報道特集」という番組名のテレビ番組があったとき、１２個の各放送回が個別イベントであり、これら放送回の集合、つまり「報道特集」という番組名のテレビ番組の総体がイベント群に相当する。
【００１９】
図面を参照しながら、本発明の実施形態に係る評価装置１０について説明する。図１は、評価装置１０のハードウェア構成を示すブロック図である。この評価装置１０は、コンピュータであり、制御部１１と、通信部１２と、記憶部１３とを備えている。制御部１１は、ＣＰＵ（Central Proccessing Unit）などの演算装置と、ＲＯＭ（Read Only Memory）およびＲＡＭ（Random Aceess Memory）などの記憶装置とを備えている。ＣＰＵは、ＲＡＭをワークエリアとして用いてＲＯＭや記憶部１３に記憶されたプログラムを実行することによって、評価装置１０の各部を制御する。通信部１２は、通信インタフェースや通信回路を備えており、通信線（図示略）に接続されている。通信部１２は、この通信線を介して接続されている通信装置（図示略）との間で通信を行う。記憶部１３は、書き込み可能な不揮発性の記憶手段であり、例えばハードディスク装置である。この記憶部１３には、制御部１１によって実行される処理の手順が記述されたプログラムが記憶されている。
【００２０】
図２は、評価装置１０の機能構成を示すブロック図である。同図に示す各部は、制御部１１がプログラムを実行することにより実現される機能である。本発明の取得手段に相当する取得部１１１は、テレビ番組の内容や属性に関するイベントメタデータを取得する。このイベントメタデータは、ＥＰＧ（Electronic Program Guide）と呼ばれるテレビ番組の案内情報を記憶している通信装置や、放送されるテレビ番組を視聴したオペレータが入力した内容をＸＭＬ（Extensible Markup Language）形式で記憶している通信装置などから通信線を介して評価装置１０に送信されてくる。通信部１２が制御部１１による制御の下で上記通信装置からイベントメタデータを受信して制御部１１に供給すると、制御部１１は、これを取得する。
【００２１】
図３は、イベントメタデータの一例を示す図である。イベントメタデータは、個別イベントの名称である個別イベント名、個別イベントに割り当てられた識別情報である個別イベントＩＤ、イベント群に割り当てられた識別情報であるイベント群ＩＤ、個別イベントが催される日時の範囲である個別イベント時間帯、個別イベントにおいて出現した語句に割り当てられた識別情報である語句ＩＤ、個別イベントにおいて出現した語句、および、その語句が出現した日時の範囲である出現時間帯を含んでいる。「個別イベント名」は、番組名に相当する文字と、放送回の別を意味する文字によって表現されている。例えば、「報道特集第八回」という個別イベント名は、「報道特集」という番組名と、「第八回」という放送回の別を意味する文字列からなる。イベント群は、前述したように、番組名が共通するテレビ番組の総体のことであるから、例えば「変わっていい人」という番組名が共通する個別イベントに対しては、同じイベント群ＩＤ「１」が付されている。
【００２２】
「語句」は、例えば、そのテレビ番組に出演した出演者の名称、そのテレビ番組で紹介された店舗や施設の名称、そのテレビ番組において再生された音楽のタイトル、そのテレビ番組で紹介されたサービスや商品の名称、出演者の発言内容、または、個別イベントの概要を説明するために用意された文章などである。これらの語句は、個別イベントの内容を代表するものである。ここにおいて、これらの語句によって表される対象（例えば音楽や出演者）のみが個別イベントにおいて出現し、語句そのものがテレビ番組において放送されなかったとしても、その語句は個別イベントにおいて実質的に出現しているものとみなす。特に上述した、個別イベントの概要を説明するために用意された文章に含まれる語句については、その語句そのものがテレビ番組において実際には放送されない場合もある。「語句ＩＤ」は、個別イベントにおいて各語句が出現するたびに割り当てられるものである。従って、同じ個別イベントにおいて同じ語句が出現したとしても、その出現時間帯が異なっている場合には、これらの同じ語句に対して異なる語句ＩＤが割り当てられることになる。
【００２３】
図２の説明に戻る。本発明の第１特定手段に相当する個別イベント内語句出現頻度特定部１１２は、イベントメタデータの内容に基づき、各個別イベントにおいて出現した各語句の出現頻度を個別イベントごとに特定する。ここでいう出現頻度とは、或る事象が出現する度合いないし度数のことを言い、単なる出現回数だけでなく、その出現の期間をも含む概念である。つまり、Ａという事象が１回だけ１秒間にわたって出現した場合と、Ｂという事象が１回だけ１分間にわたって出現した場合、Ｂという事象の出現頻度のほうが高いという考え方である。
【００２４】
図４は、個別イベント内語句出現頻度特定部１１２として機能する制御部１１が、個別イベント内語句出現頻度を特定するときの手順を示すフローチャートである。まず、制御部１１は、記憶部１３に記憶されているイベントメタデータから、１つの個別イベントＩＤを抽出する（ステップＳ１）。次に、制御部１１は、その個別イベントＩＤに対応する語句ＩＤを全て抽出する（ステップＳ２）。
【００２５】
そして、制御部１１は、抽出した語句ＩＤのうち同じ語句に対応する語句ＩＤを全て特定し、特定した各語句ＩＤに対応する出現時間帯の期間（つまり出現時間帯の開始時刻と終了時刻との差）を全て合計する（ステップＳ３）。これは、その語句が個別イベントにおいて出現した全期間（以下、語句の出現期間という）に相当する。制御部１１は、語句と出現期間とを対応付けて記憶部１３に記憶する（ステップＳ４）。制御部１１は、抽出した個別イベントＩＤに対応する全ての語句について出現期間を算出したら、全ての個別イベントＩＤについて上記処理ステップＳ１〜Ｓ４を行った否かを判断する（ステップＳ５）。これを行っていなければ（ステップＳ５；Ｎｏ）、制御部１１は、ステップＳ１の処理に戻り、新たな個別イベントＩＤを抽出して上記処理ステップＳ１〜Ｓ４を繰り返す。この結果、図５に示すように、各個別イベントに出現した各語句とその語句の出現期間とが対応付けられた内容が個別イベントごとに記憶部１３に記憶されることになる。
【００２６】
制御部１１は、上記のようにして出現期間を算出する処理を終えると、次に、記憶部１３に記憶されているイベントメタデータから１つの個別イベントＩＤを抽出する（図４のステップＳ６）。次に、制御部１１は、その個別イベントＩＤに対応する個別イベント時間帯の期間（つまり個別イベント時間帯の開始時刻と終了時刻と差）を特定し、記憶部１３に記憶する（ステップＳ７）。これを個別イベント実施期間という。この結果、図６に示すように、個別イベントごとに個別イベント実施期間が記憶されることになる。
【００２７】
そして、制御部１１は、ステップＳ４にて記憶した各語句の出現期間を、その語句に対応する個別イベントＩＤに対応する個別イベント実施期間で除算する（ステップＳ８）。この除算により、各語句の出現期間と個別イベント実施期間との割合が求められることになる。そして、この除算結果が、個別イベントにおいて出現した語句の出現頻度を意味するもの、つまり個別イベント内語句出現頻度である。制御部１１は、この個別イベント内語句出現頻度と語句とを対応付けて記憶する（ステップＳ９）。制御部１１は、抽出した個別イベントＩＤについて全ての語句に関して個別イベント内語句出現頻度を特定したら、全ての個別イベントＩＤについて上記処理ステップＳ６〜Ｓ９を行った否かを判断する（ステップＳ１０）。これを行っていなければ（ステップＳ１０；Ｎｏ）、制御部１１はステップＳ６の処理に戻り、新たな個別イベントＩＤを抽出して上記処理ステップＳ６〜Ｓ９を繰り返す。
【００２８】
この結果、図７に示すように、個別イベントごとに語句と個別イベント内語句出現頻度とが対応付けられた内容が記憶部１３に記憶されることになる。例えば番組名「報道特集第八回」に出現した「山口アナウンサー」という語句の出現期間は１０分であり、「報道特集第八回」の個別イベント実施期間は３０分であるから、「報道特集第八回」に出現した「山口アナウンサー」という語句についての個別イベント内語句出現頻度は、１０／３０≒０．３３３３３３となる。
【００２９】
図２において、本発明の第２特定手段に相当するイベント群内語句出現頻度特定部１１３は、イベントメタデータの内容に基づき、イベント群において出現した各語句の出現頻度を特定する。つまり、前述した個別イベント内語句出現頻度特定部１１２が、それぞれの個別イベントにおいて出現した語句の出現頻度をその個別イベントの範囲で判断していたのに対し、これから説明するイベント群内語句出現頻度特定部１１３は、複数の個別イベントを含むイベント群において出現した語句の出現頻度をそのイベント群全体の範囲で判断している点で、両者は異なる。また、個別イベント内語句出現頻度特定部１１２が、個別イベント実施期間と語句の出現期間という時間的な概念に基づいて語句の出現頻度を判断していたのに対し、イベント群内語句出現頻度特定部１１３は、イベント群に含まれる個別イベントの数と各イベントにおける語句の出現の有無とに基づいて語句の出現頻度を判断している点（詳しくは後述）でも、両者は異なる。
【００３０】
図８は、イベント群内語句出現頻度特定部１１３として機能する制御部１１が、イベント群内語句出現頻度を特定するときの手順を示すフローチャートである。まず、制御部１１は、記憶部１３に記憶されているイベントメタデータから、１つの個別イベントＩＤを抽出する（ステップＳ１１）。次に、制御部１１は、イベントメタデータから、その個別イベントＩＤに対応するものと同じイベント群ＩＤが付されている個別イベントＩＤのうち、ステップＳ１１で抽出した個別イベントＩＤに対応する個別イベント時間帯よりも前に催された個別イベントの個別イベントＩＤを全て抽出する（ステップＳ１２）。例えば、ステップＳ１１にて「報道特集第八回」というテレビ番組の個別イベントＩＤが抽出された場合、ステップＳ１２においては、それ以前に催された「報道特集第一回」から「報道特集第七回」までの合計７つのテレビ番組の個別イベントＩＤが抽出される。
【００３１】
そして、制御部１１は、ステップＳ１１およびステップＳ１２において抽出した個別イベントＩＤの数を数えて（ステップＳ１３）、これを個別イベント実施回数として記憶部１３に記憶する（ステップＳ１４）。制御部１１は、全ての個別イベントＩＤについて上記処理ステップＳ１１〜Ｓ１４を行った否かを判断し（ステップＳ１５）、これを行っていなければ（ステップＳ１５；ＮＯ）、ステップＳ１１の処理に戻り、新たな個別イベントＩＤを抽出して上記処理ステップＳ１１〜Ｓ１４を繰り返す。この結果、図９に示すように、個別イベントごとに、個別イベント実施回数が記憶部１３に記憶されることになる。例えば、ステップＳ１１にて「報道特集第八回」というテレビ番組の個別イベントＩＤが抽出された場合、ステップＳ１４においては、「報道特集第一回」から「報道特集第八回」までの合計８つのテレビ番組の個別イベントＩＤが数えられ、個別イベント実施回数は「８」になる。
【００３２】
制御部１１は、個別イベント実施回数を算出する処理を終えると、次に、記憶部１３に記憶されているイベントメタデータから、或るイベント群ＩＤに対応する個別イベントＩＤのうち１つを抽出する（図８：ステップＳ１６）。次に、制御部１１は、イベントメタデータから、その個別イベントＩＤに対応する語句を、同じ語句の重複を排除しながら、全て抽出する（ステップＳ１７）。次に、制御部１１は、これらの語句から１つを抽出する（ステップＳ１８）。次に、制御部１１は、イベントメタデータを参照して、上記の或るイベント群ＩＤに対応する個別イベントＩＤのうち、抽出した上記語句と同じ語句に対応する個別イベントＩＤがあれば、その数を数える（ステップＳ１９）。つまり、抽出した上記語句が１回でも出現していた個別イベントの数が数えられることになる。ただし、このとき、制御部１１は、ステップＳ１６にて抽出した個別イベントＩＤに対応する個別イベント時間帯よりも前に催された個別イベントの個別イベントＩＤの数のみを数える。この数のことを、語句出現イベント数という。
【００３３】
例えば、ステップＳ１６にて「報道特集第八回」というテレビ番組の個別イベントＩＤが抽出され、ステップＳ１８にて「山口アナウンサー」という語句が抽出された場合において、同じイベント群ＩＤが割り当てられている「報道特集第一回」から「報道特集第七回」までのテレビ番組において、この「山口アナウンサー」という語句が１回でも出現していたテレビ番組が５つあったと仮定する。この場合、ステップＳ１９にて制御部１１によって数えられる語句出現イベント数は「５」となる。この結果、図１０に示すように、個別イベントＩＤごとに各語句についての語句出現イベント数が記憶部１３に記憶されることになる。
【００３４】
次に、制御部１１は、或る個別イベントＩＤおよび或る語句についてステップＳ１９で求めた語句出現イベント数を、その個別イベントＩＤについてステップＳ１４で求めた個別イベント実施回数で除算する（ステップＳ２０）。この除算により、イベント群に属するイベントの数と、注目している語句が出現したイベントの数との割合が算出されることになる。この除算結果が、その語句がそのイベント群において出現した頻度、つまり、イベント群内語句出現頻度である。制御部１１は、このイベント群内語句出現頻度と語句とを対応付けて記憶する。
【００３５】
そして、制御部１１は、ステップＳ１６で抽出した個別イベントＩＤに対応する全ての語句について上記処理ステップＳ１８〜Ｓ２０を行った否かを判断する（ステップＳ２１）。これを行っていなければ（ステップＳ２１；ＮＯ）、制御部１１はステップＳ１８の処理に戻り、新たな語句を抽出して上記処理ステップＳ１８〜Ｓ２０を繰り返す。制御部１１は、全ての語句について上記処理ステップＳ１８〜Ｓ２０を行ったら（ステップＳ２１；ＹＥＳ）、全ての個別イベントＩＤについて上記処理ステップＳ１６〜Ｓ２１を行った否かを判断する（ステップＳ２２）。これを行っていなければ（ステップＳ２２；ＮＯ）、制御部１１は、ステップＳ１６の処理に戻り、新たな個別イベントＩＤを抽出して上記処理ステップＳ１６〜Ｓ２１を繰り返す。
【００３６】
この結果、図１１に示すように、個別イベントごとに、語句とイベント群内語句出現頻度とが対応付けられた内容が記憶部１３に記憶されることになる。例えば、「報道特集第八回」というテレビ番組に出現した「山口アナウンサー」という語句については、イベント実施回数が８で（図９参照）、語句出現イベント数が５であるから（図１０参照）、イベント群内語句出現頻度は、５／８＝０．６２５となる。
【００３７】
本発明の評価手段に相当する評価部１１４を実現する制御部１１は、個別イベント内語句出現頻度とイベント群内語句出現頻度とに基づいて、語句がイベントの主題に適合している程度に応じた評価値を算出する。具体的には、ＴＦｉｊを、個別イベントiにおいて出現した語句jの個別イベント内語句出現頻度とし、ＤＦｉｊを、個別イベントiの時点での語句jが出現したときのイベント群内語句出現頻度としたとき、評価値は、評価値＝ＴＦｉｊ×ｌｏｇ（ＤＦｉｊ）-1という式で算出される（図１２参照）。つまり、評価値は、個別イベント内語句出現頻度とイベント群内語句出現頻度の逆数の自然対数との積である。このようにして求められた評価値は、評価装置１０から図示せぬ通信装置に送信されるとか、記録媒体に記録されるとか、図示せぬ表示装置に表示されるなどの方法で出力される。
【００３８】
以上のような方法で評価値を求めるようにすれば、個別イベント内語句出現頻度が高いほど上記式において大きな評価値となり、主題との適合の程度としては高く評価される一方、イベント群内語句出現頻度が高いほど上記式において小さな評価値となり、主題との適合の程度としては低く評価される。すなわち、或る個別イベントにおいて出現頻度が高い語句は、その個別イベントの主題に適合している可能性が高いと考えて、その語句に対する評価値は高くなる。一方、その語句の出現頻度が、その個別イベントよりも前に催された個別イベントにおいても高い場合には、その語句はイベント群に含まれる各個別イベントの進行上の理由などで頻繁に出現しているだけであるとか、そのイベント群において既に普遍的になっている可能性があるので、その語句に対する評価値は低くなる。要するに或る特定の個別イベントにおいてのみ出現する語句は、その個別イベントに特有の主題をよく現しているという考え方である。
【００３９】
これにより、視聴者にとって有用な内容の個別イベントを選別するとき、主題との適合の程度が低いと評価された語句よりもその適合の程度が高いと評価された語句を優先的に用いる（例えば評価値そのものを語句に対する重み値として用いるなど）ようにすれば、視聴者が望むような主題のイベントが選別されるし、また、視聴者が望まないような主題のイベントは選別から排除されることになる。
【００４０】
さらに、上記実施形態の構成では、個別イベント内語句出現頻度特定部１１２が、個別イベント実施期間と語句の出現期間という時間的な概念に基づいて語句の出現頻度を判断している。つまり、個別イベントにおいて頻繁ではあるが短期間だけ出現した語句については出現頻度を低いと考えているので、より長期間出現していた語句が個別イベントの主題との適合の程度が高くなる。これにより、視聴者が望むような主題のイベントが選別される可能性が高くなる。一方、イベント群内語句出現頻度特定部１１３は、イベント群に含まれる個別イベントの数と各イベントにおける語句の出現の有無とに基づいて語句の出現頻度を判断している。つまり、イベント群全体において、長期間の出現でなくても頻繁に出現している語句については出現頻度を高くするという考え方であるが、これは、語句が頻繁に出現することで、その語句はイベント群全体において既に普遍的になっているとか重要性が低くなっていると考えられるからである。従って、視聴者が望まないような主題のイベントが選別から排除される可能性が高くなることが期待される。
【００４１】
［変形例］
上述した実施形態は次のような変形が可能である。また、以下の変形例を互いに組み合わせて実施してもよい。
［変形例１］
実施形態で例示したイベントメタデータは、個別イベント名、個別イベントＩＤ、イベント群ＩＤ、個別イベント時間帯、語句ＩＤ、語句および出現時間帯を含んでいたが、イベントメタデータの内容はこれに限定されない。少なくとも必須なのは、視聴者に対して催されるイベント群に属する各イベントにおいて出現する語句と、各イベントにおいてその語句が出現した期間に関する情報（例えば上記の出現時間帯）と、各イベントが催される期間に関する情報（例えば上記の個別イベント時間帯）である。
【００４２】
［変形例２］
実施形態で例示したイベントメタデータには、語句の出現時間帯が含まれていたが、本変形例では、イベントメタデータに語句の出現時間帯が含まれておらず、その代わりに、制御部１１は、個別イベントにおいて例えば映像として表示されるなどの方法で出現する字幕に関する情報を取得する場合を説明する。字幕とは、映画やテレビ番組などで、題名、番組名、配役、説明などを文字で表現したものや、特に外国映画などで、会話の翻訳を文字で表現したものである。制御部１１は、例えば評価装置１０の通信部１２に接続されたテレビ受像機が受信した字幕画像（キャプション）に対して文字認識処理を行うことによって、その字幕の内容を取得するとともに、自身が計時している日時に基づき、字幕が出現した時間帯を取得する。さらに、制御部１１は、これらの各字幕に対して字幕ＩＤを割り当てることで、この字幕ＩＤを取得する。以下、これらの字幕ＩＤ、字幕、および字幕時間帯を字幕メタデータという。
【００４３】
本変形例に係るイベントメタデータおよび字幕メタデータの一例を図１３に示す。図に示す内容には、個別イベント名、個別イベントＩＤ、イベント群ＩＤ、および個別イベント時間帯というイベントメタデータのほか、個別イベントにおいて出現した字幕に割り当てられた識別情報である字幕ＩＤ、個別イベントにおいて出現した字幕、および、その字幕が出現した日時の範囲である字幕時間帯という字幕メタデータを含んでいる。ここでは、字幕には、演者の台詞だけでなく、演者の名称も含まれているものとする。イベントメタデータと字幕メタデータとは図に示すような対応関係があり、以下では、イベントメタデータ及び字幕メタデータを「メタデータ」と総称する。
【００４４】
図１４は、個別イベント内語句出現頻度特定部１１２として機能する制御部１１が、上記のメタデータから個別イベント内語句出現頻度を特定するときの手順を示すフローチャートである。図１４において、イベントメタデータではなくメタデータを処理対象とする点を除いて図４と同じ処理については、同じ符号を付している。制御部１１は、記憶部１３に記憶されているメタデータから、１つの個別イベントＩＤを抽出したのち（ステップＳ１）、語句の出現期間を算出する（ステップＳ１ａ）。以降のステップＳ２、Ｓ４〜Ｓ１０の処理は、図４のステップＳ２、Ｓ４〜Ｓ１０の処理と同じであるため説明を省略する。
【００４５】
図１５は、ステップＳ１ａにおいて制御部１１が語句の出現期間を算出する処理の詳細を説明するフローチャートである。図１５において、制御部１１は、ステップＳ１において抽出した個別イベントＩＤに対応する字幕を全て抽出し、これらを字幕時間帯の昇順にソートする（ステップＳ３１）。制御部１１は、これらの字幕から１つを取り出し（ステップＳ３２）、その字幕に対して形態素解析を行って、その字幕を構成する単語を取り出し、その集合を単語集合Ｔとする（ステップＳ３３）。次に、制御部１１は、単語集合Ｔから１つの単語を抽出し（ステップＳ３４）、その単語が単語集合Ｋなるものに属するか否かを判断する（ステップＳ３５）。単語が単語集合Ｋに属していなければ（ステップＳ３５；ＮＯ）、制御部１１は、その単語が属する字幕の字幕時間帯を参照し、その字幕時間帯の開始時刻をその単語の初回出現時刻とし、この初回出現時刻をその単語に対応付けた状態で、単語集合Ｋに追加する。（ステップＳ３６）。次に、制御部１１は、その単語が属する字幕の字幕時間帯を参照し、その字幕時間帯の終了時刻をその単語の最終出現時刻とし、その単語に対応付けた状態で、単語集合Ｋに追加する（ステップＳ３７）。単語が単語集合Ｋに属していれば（ステップＳ３５；ＹＥＳ）、制御部１１は、その単語が属する字幕の字幕時間帯を参照し、その字幕時間帯の終了時刻をその単語の最終出現時刻とし、その単語に対応付けた状態で、単語集合Ｋに保存する（ステップＳ３７）。制御部１１は、単語集合Ｔに含まれる全ての単語に関してステップＳ３４〜Ｓ３７の処理を行ったら（ステップＳ３８；ＹＥＳ）、全ての字幕について上記処理ステップＳ３２〜Ｓ３８を行った否かを判断する（ステップＳ３９）。
【００４６】
全ての字幕について上記処理ステップＳ３２〜Ｓ３８を行った場合（ステップＳ３９；ＹＥＳ）、制御部１１は、単語集合Ｋから１つの単語を抽出し（ステップＳ４０）、その単語に対応する初回出現時刻と最終出現時刻との差を算出し、これを単語の出現期間として、その単語に対応付けて単語集合Ｋに保存する（ステップＳ４１）。制御部１１は、単語集合Ｔに含まれる全ての単語に関してステップＳ４０，４１の処理を行ったら（ステップＳ４２；ＹＥＳ）、単語集合Ｋに属する単語を、図１４における語句とする（ステップＳ４３）。この語句（単語）に対応付けられている、上記の単語の出現期間が、語句の出現期間に相当する。
【００４７】
このようにすれば、イベントメタデータに語句の出現期間が存在しない場合でも、字幕メタデータから語句の出現期間を推定することができる。そして、イベント群内語句出現頻度特定部１１３は、上記のようにして字幕から抽出した語句を用い、実施形態と同様にしてイベント群に含まれる個別イベントの数と各イベントにおける語句の出現の有無とに基づいて語句の出現頻度を判断すればよい。評価部１１４による評価も実施形態と同様の手順で行なわれる。
【００４８】
［変形例３］
前述したように、イベントはテレビ番組に限らない。例えばイベントがラジオ番組である場合には、ＤＪと呼ばれる司会者やそのラジオ番組に招かれたゲストなどの出演者の名称や発言内容などが語句に相当することになる。また、イベントが音楽フェスティバルである場合には、音楽フェスティバルそのものがイベント群に相当し、各演奏が個別イベントに相当する。そして、出演する歌手、バンドやそのメンバーの名称或いは演奏された曲名などが語句に相当することになる。
【００４９】
［変形例４］
図８のステップＳ１８において、制御部１１は、ステップＳ１６にて抽出した個別イベントＩＤに対応する個別イベント時間帯よりも前に催された個別イベントの個別イベントＩＤの数のみを数えていたが、数える対象は、これに限定されない。例えば、制御部１１は、ステップＳ１６にて抽出した個別イベントＩＤに対応する個別イベント時間帯よりも前に催された個別イベントのうち、所定の期間内（例えば過去３ヶ月以内とか過去半年以内）に催された個別イベントの個別イベントＩＤの数のみを数えるようにしてもよい。また、このような過去の個別イベントに限定されることもなく、例えば、制御部１１は、ステップＳ１６にて抽出した個別イベントＩＤに対応する個別イベント時間帯以後に催された個別イベントの個別イベントＩＤの数を数えるようにしてもよい。これは、個別イベントが催された直後ではなく、個別イベントが催されてから一定期間が経過した場合を想定している。要するに、制御部１１は、ステップＳ１６にて抽出した個別イベントＩＤに対応する個別イベント時間帯以前とか以後に限定せず、同じイベント群ＩＤに対応する個別イベントの数を数えるようにすればよい。
【００５０】
［変形例５］
個別イベント内語句出現頻度特定部１１２として機能する制御部１１は、イベントメタデータに基づき、各々のイベントにおける各々の語句の出現頻度をそのイベントごとに特定するものであればよい。さらに、イベントメタデータに基づき、個別イベントにおいて語句が出現した期間とそのイベントが催された期間との割合を算出し、算出したその割合に応じて、個別イベント内語句出現頻度を特定するときの具体的方法も実施形態の内容に限定されない。例えば、制御部１１は、ステップＳ４にて記憶した各語句の出現期間を、その語句に対応する個別イベントＩＤに対応する個別イベント実施期間で除算した結果に、或る係数を乗算したり或る定数を加算したりしたものを、個別イベント内語句出現頻度としてもよい。
【００５１】
［変形例６］
イベント群内語句出現頻度特定部１１３として機能する制御部１１は、イベントメタデータに基づき、イベント群における語句の出現頻度を特定するものであればよい。さらに、イベントメタデータに基づき、イベント群に属するイベントの数と語句が出現したイベントの数との割合を算出し、算出した割合に応じてイベント群内語句出現頻度を特定するときの具体的方法も実施形態の内容に限定されない。例えば、制御部１１は、ステップＳ１９で求めた語句出現イベント数を、その個別イベントＩＤについてステップＳ１４で求めた個別イベント実施回数で除算した結果に、或る係数を乗算した或る定数を加算したりしたものを、イベント群内語句出現頻度としてもよい。
【００５２】
［変形例７］
評価部１１４として機能する制御部１１は、評価値＝ＴＦｉｊ×ｌｏｇ（ＤＦｉｊ）-1という式に従って評価値を算出するものに限らない、要するに、制御部１１は、各々のイベントにおいて出現した各々の語句に対し、その語句がそのイベントの主題に適合している程度に応じた評価を行う評価手段であって、個別イベント内語句出現頻度が多く、且つ、イベント群内語句出現頻度出現頻度が低い語句であるほど、語句がイベントにおける主題に適合している程度が高いと評価するものであればよい。
【００５３】
［変形例８］
評価部１１４として機能する制御部１１は、図１２に示すように、各語句についての評価値を算出していたが、さらに、これらの評価値を個別イベントＩＤごとに集計し、その集計結果を出力するようにしてもよい。このときの出力内容の一例を図１６に示す。或る個別イベントＩＤについて語句ごとの評価値を合計した合計値が大きいほど、その個別イベントの内容は、同じイベント群に属する他の個別イベントの内容に比べて特徴があると言える。従って、その個別イベントは視聴者から注目される度合いが高いという判断を行うことも可能である。逆に、或る個別イベントＩＤについて語句ごとの評価値を合計した合計値が小さいほど、その個別イベントの内容は、同じイベント群に属する他の個別イベントの内容に比べて特徴がないと言える。従って、その個別イベントは視聴者から注目される度合いが高くないという判断を行うことができる。
【００５４】
［変形例９］
本発明は、評価装置１０だけでなく、コンピュータが行う評価方法や、コンピュータを評価装置１０として機能させるためのプログラムといった形態でも実施が可能である。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【符号の説明】
【００５５】
１０・・・評価装置、１１・・・制御部、１２・・・通信部、１３・・・記憶部、１１１・・・取得部、１１２・・・個別イベント内語句出現頻度特定部、１１３・・・イベント群内語句出現頻度特定部、１１４・・・評価部
【図１】
0005160659.tif 000002
【図２】
0005160659.tif 000003
【図３】
0005160659.tif 000004
【図４】
0005160659.tif 000005
【図５】
0005160659.tif 000006
【図６】
0005160659.tif 000007
【図７】
0005160659.tif 000008
【図８】
0005160659.tif 000009
【図９】
0005160659.tif 000010
【図１０】
0005160659.tif 000011
【図１１】
0005160659.tif 000012
【図１２】
0005160659.tif 000013
【図１３】
0005160659.tif 000014
【図１４】
0005160659.tif 000015
【図１５】
0005160659.tif 000016
【図１６】
0005160659.tif 000017